(57)【要約】【課題】吊りボルトにケーブルラックを懸吊する工事において、ケーブルラックのサイズや懸吊位置が異なっても一つの吊り金具で対応可能とし、ケーブルラックの懸吊作業を極めて簡略化して合理的に行うことができるケーブルラック用吊り金具を提供する。【解決手段】吊りボルトＰに連結する連結片１を設ける。親桁Ｌ１の外側面に沿って重合する重合片２を設ける。親桁Ｌ１の下端部に係止する係止片３を設ける。該係止片３から上方に屈曲延長された補助係止片４を設ける。止着ボルト５を設ける。止着ボルト５を、前記補助係止片４に装着し、該補助係止片４から親桁Ｌ１内側に止着ボルト５を押圧して、重合片２と親桁Ｌ１側面とを圧着固定する。【選択図】図１
2005224026.tif 000002
【特許請求の範囲】
【請求項１】
ケーブルラックの親桁下端に係止し、吊りボルトに連結するケーブルラック用吊り金具において、親桁の外側面に近接し、該外側面から外側に張り出して吊りボルトに連結する連結片と、該連結片から下方に屈曲形成され、親桁の外側面に沿って重合する重合片と、該重合片から略水平に屈曲形成され、親桁の下端部に係止する係止片と、該係止片から親桁内側の上方に屈曲延長された補助係止片とを有し、該補助係止片又は前記係止片又は前記重合片のいずれかに装着した止着ボルトで親桁に止着するように設けたことを特徴とするケーブルラック用吊り金具。
【請求項２】
前記止着ボルトは、前記補助係止片に装着され、該補助係止片から親桁内側に止着ボルトを止着して前記親桁側面を挟着するように設けた請求項１記載のケーブルラック用吊り金具。
【請求項３】
前記止着ボルトは前記係止片に装着され、前記補助係止片と親桁内側との間に係合する板ナットを止着するように設けた請求項１記載のケーブルラック用吊り金具。
【請求項４】
前記止着ボルトは前記重合片に装着され、前記補助係止片を親桁下端部の内側に係止させた状態で、重合片から親桁外側に止着ボルトを圧着するように設けた請求項１記載のケーブルラック用吊り金具。
【発明の詳細な説明】
【技術分野】
【０００１】
本発明は、吊りボルトにケーブルラックを懸吊する工事において、ケーブルラックのサイズや懸吊位置が異なっても一つの吊り金具で対応できるケーブルラック用吊り金具に関する。
【背景技術】
【０００２】
吊りボルトにケーブルラックを懸吊する場合、ケーブルラックの懸吊位置やラックカバーの有無により、図１１乃至図１３に示す如き種々の吊り金具が使用されている。
【０００３】
図１１に示す吊り金具は、ケーブルラックＬの親桁Ｌ１側面に固定して使用するものである。このタイプの吊り金具は、親桁の上下端部を挟着する上部金具１００と下部金具２００とに吊りボルトＰを連結する。また、図１２に示す吊り金具は、ケーブルラックＬの継金具Ｌ２に固定して使用する。このタイプでは、親桁Ｌ１相互を連結する継金具Ｌ２の上下端部を挟着する上部金具１００と下部金具２００とに吊りボルトＰを固定する。更に、図１３に示す吊り金具は、ラックカバーＬ３を取り付けるケーブルラックＬを吊下げる際に用いる吊り金具である。このタイプの吊り金具は、ラックカバーＬ３を装着する際に、吊り金具がラックカバーＬ３の妨げにならないように工夫されているもので、親桁Ｌ１上端部に係止する上部金具１００を下部金具２００方向に屈曲し、下部金具２００の近傍で吊りボルトＰを連結するものである。
【０００４】
一方、当出願人は、特許文献１に示す如く、特殊な構造を有するケーブルラックを支持する吊り金具を先に提案している。この吊り金具は、親桁部材の下端に、断面溝形状の子桁載置部を設けたケーブルラックを支持するように構成されている。
【特許文献１】実公平２−４６１９２号公報
【発明の開示】
【発明が解決しようとする課題】
【０００５】
図示した３タイプの吊り金具は、いずれも、連結時の安定性を高めるために、上部金具１００と下部金具２００とによって親桁Ｌ１を上下から挟着する構造を採用している。その為、吊り金具の固定位置やラックカバーＬ３の有無によって前述の如く、少なくとも３タイプの吊り金具が必要になっている。
【０００６】
しかも、同じタイプの吊り金具でも、親桁のサイズが異なると、このサイズに合わせた吊り金具を用いる必要があった。現在、一般的に使用されているケーブルラックは、少なくとも親桁の幅員サイズが異なる２サイズのケーブルラックが使用されている。したがって、前述の３タイプの吊り金具は、更に、ケーブルラックの幅員サイズ別に使用する必要があり、現状で必要な吊り金具の種類は、少なくとも３タイプ×２サイズの６種類もの吊り金具から、適宜選択使用されているのが現状である。このため、作業員は、常にケーブルラックの親桁のタイプやサイズ、あるいは懸吊位置などを確認しながら、最適な吊り金具を選択した上で取り付けなければならず、ケーブルラックの懸吊作業が極めて面倒な作業になっていた。しかも、６種類もの吊り金具を、それぞれ管理・保存・運搬するにも極めて多くの作業等を要するものであった。
【０００７】
また、これら従来の吊り金具は、いずれも装着作業性に課題を残すものであった。すなわち、上部金具１００と下部金具２００とによって親桁Ｌ１を上下から挟着する構造の為、吊りボルトＰに吊り金具を仮固定するには、これら二つの金具を夫々吊りボルトＰにネジ止めする作業になる。したがって１個の吊り金具を装着するには、上部金具１００と下部金具２００との二つの取付け作業が必要になっていた。しかも、上部金具１００と下部金具２００との間にケーブルラックＬを装着するので、上部金具１００と下部金具２００との間隔を一定以上開けた状態に仮固定する必要があり、装着作業をより面倒なものにしている。
【０００８】
更に、下部金具２００にケーブルラックＬを載置して上部金具１００で固定する作業にあっては、仮固定した上部金具１００を作業員が持ち上げた状態を保ち、ケーブルラックＬを持ち上げて下部金具２００に親桁Ｌ１を載置する作業となる。その為、上部金具１００を持ち上げる作業員とケーブルラックＬを持ち上げて載置する作業員との二人の作業員が必要になり、単独の作業員でケーブルラックＬを装着するには極めて困難な作業にならざるを得ない。
【０００９】
また、上部金具１００を下部金具２００に緊締するには、上部金具１００と下部金具２００とを重ね、上下一対のナツトで緊締する。すると、ケーブルラックＬの固定とケーブルラックＬの高さ調整とが同時に終了するものである。ところが、このようにケーブルラックＬの固定と高さ調整とを同時にすると、ケーブルラックＬ載置後の高さ調整が極めて面倒な作業になっていた。
【００１０】
このように、図１１乃至図１３に示す従来の吊り金具では、少なくとも３タイプ×２サイズの６種類もの吊り金具から、最適な吊り金具を選択した上で取り付けなければならず、しかも、装着作業に多くの課題を残すものであった。
【００１１】
一方、特許文献１の吊り金具は、親桁の下端部に溝を有する特殊なケーブルラック専用に設けられたものである。したがって、この吊り金具は特殊なケーブルラックを吊り下げることはできても、一般的に使用されている前述の３タイプ×２サイズの吊り金具に替えて使用することはできない。
【００１２】
そこで本発明は上述の課題を解消すべく創出されたもので、吊りボルトにケーブルラックを懸吊する工事において、ケーブルラックのサイズや吊り金具の固定位置が異なっても一つの吊り金具で対応可能にすることで、ケーブルラックの懸吊作業を極めて簡略化し、しかも、一人の作業員でも容易に取付けることが可能になり、管理・保存・運搬においても合理的に行うことができるケーブルラック用吊り金具の提供を目的とするものである。
【課題を解決するための手段】
【００１３】
本発明の第１の手段は、ケーブルラックＬの親桁Ｌ１下端に係止し、吊りボルトＰに連結するケーブルラック用吊り金具において、親桁Ｌ１の外側面に近接し、該外側面から外側に張り出して吊りボルトＰに連結する連結片１と、該連結片１から下方に屈曲形成され、親桁Ｌ１の外側面に沿って重合する重合片２と、該重合片２から略水平に屈曲形成され、親桁Ｌ１の下端部に係止する係止片３と、該係止片３から親桁Ｌ１内側の上方に屈曲延長された補助係止片４とを有し、該補助係止片４又は前記係止片３又は前記重合片２のいずれかに装着した止着ボルト５で親桁Ｌ１に止着するように設けたことにある。
【００１４】
第２の手段の前記止着ボルト５は、前記補助係止片４に装着され、該補助係止片４から親桁Ｌ１内側に止着ボルト５を止着して前記親桁Ｌ１側面を挟着するように設ける。
【００１５】
第３の手段において、前記止着ボルト５は前記係止片３に装着され、前記補助係止片４と親桁Ｌ１内側との間に係合する板ナット６を止着するように設ける。
【００１６】
第４の手段の前記止着ボルト５は前記重合片２に装着され、前記補助係止片４を親桁Ｌ１下端部の内側に係止させた状態で、重合片２から親桁Ｌ１外側に止着ボルト６を圧着するように設けたことを課題解消のための手段とする。
【発明の効果】
【００１７】
本発明の吊り金具によると、請求項１により、吊りボルトＰに連結する連結片１から、重合片２、係止片３、補助係止片４を延長形成すると共に、これらのいずれかに装着した止着ボルト５で親桁Ｌ１側面を挟着するように設けているので、ケーブルラックのサイズや懸吊位置が異なっても一つの吊り金具で対応可能とすることで、ケーブルラックの懸吊作業を極めて簡略化し、管理・保存・運搬も合理的に行うことができるものである。
【００１８】
また、本発明吊り金具を吊りボルトＰに仮固定する際に、１個の金具を装着するのみでよく、従来の如く上下一対の金具を仮固定する手間が省ける。しかも、吊りボルトＰに固定した本発明吊り金具に、ケーブルラックＬを載置する場合も、係止片３の上に親桁Ｌ１を載せるだけの極めて簡単な作業になるので、一人の作業員で行うことができる。また、親桁Ｌ１載置後の高さ調整も連結片１の高さを調整するだけで良く、調整後の親桁Ｌ１固定も止着ボルト５一本の緊締で簡単に行うことができる。
【００１９】
請求項２により、止着ボルト５は、前記補助係止片４に装着され、該補助係止片４から親桁Ｌ１内側に止着ボルト５を押圧して前記重合片２と親桁Ｌ１側面とを圧着するように設けているので、施工後において止着ボルト５が表面に現れず、体裁が良好になる利点がある。
【００２０】
請求項３により、止着ボルト５は前記係止片３に装着され、前記補助係止片４と親桁Ｌ１内側との間に係合する板ナット６を止着するように設けているので、この板ナット６による極めて高い連結力を得ることができる。
【００２１】
請求項４により、止着ボルト５は前記重合片２に装着され、前記補助係止片４を親桁Ｌ１下端部の内側に係止させた状態で、重合片２から親桁Ｌ１外側に止着ボルト６を圧着するように設けたことで、親桁Ｌ１の外側から止着ボルト５を締め付けることが可能になり、止着ボルト５の締め付け作業を容易ならしめることができる。
【００２２】
このように本発明によると、吊りボルトにケーブルラックを懸吊する工事において、ケーブルラックのサイズや懸吊位置が異なっても一つの吊り金具で対応可能となり、ケーブルラックの懸吊作業を極めて簡略化して一人の作業員でも容易に取付けることが可能になると共に、管理・保存・運搬も合理的に行うことができるといった今までにはない優れた効果を奏するものである。
【発明を実施するための最良の形態】
【００２３】
本発明を実施するための最良の形態は、親桁Ｌ１の外側面に近接し、該外側面から外側に張り出して吊りボルトＰに連結する連結片１と、該連結片１から下方に屈曲形成され、親桁Ｌ１の外側面に沿って重合する重合片２と、該重合片２から略水平に屈曲形成され、親桁Ｌ１の下端部に係止する係止片３と、該係止片３から親桁Ｌ１内側の上方に屈曲延長された補助係止片４と、止着ボルト５とを有し、前記止着ボルト５は、前記補助係止片４に装着され、該補助係止片４から親桁Ｌ１内側に止着ボルト５を止着して前記親桁Ｌ１側面を挟着するように設けることで、当初の目的を達成するものである。
【実施例】
【００２４】
本発明吊り金具は、ケーブルラックＬの親桁Ｌ１下端に係止し、吊りボルトＰに連結するものである（図２乃至図４参照）。吊り金具の基本構造は、連結片１から、重合片２、係止片３、補助係止片４までを一体に設けたもので、図示例では、金属製の帯板を屈曲して形成している（図１参照）。
【００２５】
連結片１は、親桁Ｌ１の外側面に近接し、該外側面から外側に張り出して吊りボルトＰに連結する。吊りボルトＰには、上下一対の連結ナットＰ１を装着してあり、この連結ナットＰ１で連結片１を固定する。この連結片１は、ラックカバーＬ３を装着する際に妨げにならないように、親桁Ｌ１の上端部から離れた位置に吊りボルトＰを連結できるように設けている。図示例では、親桁Ｌ１の下部側面から外側に張り出している（図２乃至図４参照）。
【００２６】
重合片２は、連結片１から下方に屈曲形成され、親桁Ｌ１の外側面に沿って重合する部分である。前記止着ボルト５を用いることで、主に、この重合片２と親桁Ｌ１の外側面とを圧着させて固定するものである（図２乃至図４参照）。
【００２７】
係止片３は、重合片２から略水平に屈曲形成され、親桁Ｌ１の下端部に係止する部分である。この係止片３は、特に一般に使用されているケーブルラックＬにおける親桁Ｌ１の下端部形状、すなわち、親桁Ｌ１の側面下端から親桁Ｌ１の内側に屈曲された下端部Ｌ１ａに係止するように設けている（図２乃至図４参照）。
【００２８】
補助係止片４は、親桁Ｌ１の内側で係止片３から上方に屈曲延長された部分であり、この補助係止片４に直接止着ボルト５を装着する（図２乃至図４参照）。また、この補助係止片４にて後述する板ナット６を係止し（図７、図８参照）、あるいは、親桁Ｌ１の下端部Ｌ１ａ内側に補助係止片４を係止せしめるものである（図１０参照）。
【００２９】
止着ボルト５は、前記補助係止片４、係止片３、重合片２のいずれかに装着する止着ボルト５である。この止着ボルト５を締め付けることで、本発明吊り金具を親桁Ｌ１に固定する。この止着ボルト５の装着位置によって本発明の実施例が異なるので、次に、各種の実施例を説明する。
【００３０】
図１及び図６に示す実施例は、止着ボルト５を、補助係止片４に装着したものを示している。この実施例によると、該補助係止片４から親桁Ｌ１内側に止着ボルト５を押圧して前記重合片２と親桁Ｌ１側面とを圧着するように設けている。このとき、図１乃至図４に示す止着ボルト５は、補助係止片４に開穿したネジ孔４Ａに直接ネジ止めするものである。
【００３１】
また、図５及び図６に示す止着ボルト５は、補助係止片４に設けた切欠部４Ｂに止着ボルト５の側面を係止し、ナット４Ｃにネジ止めするものである。図示のナット４Ｃは、自身の長手両端部を屈曲して係合部４Ｄを設け、補助係止片４の長手両端部に設けた係合凹部４Ｅに、この係合凹部４Ｄを係合させてナット４Ｃを固定するものである。このようなナット４Ｃによると、止着ボルト５をナット４Ｃにある程度ねじ込んだ状態にしてから補助係止片４に装着できるので、止着ボルト５の締め付け作業を短縮することができる。
【００３２】
このように、補助係止片４から親桁Ｌ１の内側に止着ボルト５を突き当てて押圧すると、前記重合片２と親桁Ｌ１の外側面とが圧着状態となり、親桁Ｌ１が重合片２と止着ボルト５とに挟着されるものである。しかも、止着ボルト５は、係止片３の上で緊締しているので、仮に止着ボルト５の緊締力が多少落ちたとしても、本発明吊り金具から親桁Ｌ１が脱落する虞は極めて少なく、安全な使用が可能になっている（図２乃至図４参照）。
【００３３】
図７及び図８に示す実施例は、止着ボルト５を係止片３に装着している。この実施例によると、補助係止片４と親桁Ｌ１内側との間に係合する板ナット６を使用し、係止片３の下面から止着ボルト５で板ナット６を止着する。図示例では、係止片３から補助係止片４に至る係止スリット３Ａを設け、板ナット６のネジ孔６Ａに連結した止着ボルト５を、この係止スリット３Ａに側面から挿入できるようにしている。止着ボルト５をこのように装着することで、板ナット６の取付け作業を合理化することが可能である。一方、板ナット６は、補助係止片４と親桁Ｌ１内側との間に嵌合するサイズとしてあり、係止片３下面から補助係止片４にて止着されると、この板ナット６が親桁Ｌ１を介して、重合片２、係止片３、補助係止片４と一体化した状態になり、極めて高い連結強度を得ることができる（図８参照）。
【００３４】
図９及び図１０に示す実施例では、重合片２に止着ボルト５を装着している。この実施例では、補助係止片４を親桁Ｌ１下端部の内側に係止させた状態とし、この状態で、重合片２から親桁Ｌ１外側に止着ボルト５を圧着する（図１０参照）。止着ボルト５の締め付けにより、強固に固定されるものである。このとき、補助係止片４は、親桁Ｌ１下端部Ｌ１ａの内側に屈曲された部分に係止するように設けている。また、連結片１に連結する吊りボルトＰが止着ボルト５の締め付け操作に支障を来たさないようにするため、連結片１に開穿するボルト挿通孔１Ａの位置と、重合片２に設けるネジ孔２Ａの位置とが重ならないように設けている（図９参照）。
【００３５】
本発明吊り金具は、上述の如く構成したことにより、これまで３タイプ×２サイズの使用態様全てに適応してケーブルラックＬを連結することが可能である。すなわち、図２は、親桁Ｌ１に直接固定する際に使用した状態を示し、同図（イ）は、幅の狭い親桁Ｌ１側面に連結し、同図（ロ）は、幅の広い親桁Ｌ１側面に連結して使用した状態を示している。
【００３６】
また、図３は、ケーブルラックＬの継金具Ｌ２に固定して使用する状態を示している。同図（イ）は、幅の狭い親桁Ｌ１側面に固定し、同図（ロ）は、幅の広い親桁Ｌ１側面に固定して使用した状態を示している。この状態では、親桁Ｌ１相互を連結する継金具Ｌ２の外側面に重合片２を当接させ、補助係止片４に装着した止着ボルト５にて親桁Ｌ１の内側を止着している。
【００３７】
更に、図４は、ラックカバーＬ３を取り付けるケーブルラックＬを吊下げる際に用いた状態を示している。同図（イ）は、幅の狭い親桁Ｌ１側面に固定し、同図（ロ）は、幅の広い親桁Ｌ１側面に固定して使用した状態を示している。このように、ラックカバーＬ３の有無にかかわらずにケーブルラックＬを連結することができる。尚、図示の使用例は本発明の一実施例についての各使用状態を示しているが、他の実施例においても同様に、３タイプ×２サイズの使用態様全てに適応してケーブルラックＬを連結することが可能である。
【００３８】
尚、本発明は図示例に限定されるものではなく、各構成部位における形状、寸法等の設計変更、材質の転換及び形態の変更など、本発明の技術的思想を逸脱しない範囲で自由に変更することができるものである。
【図面の簡単な説明】
【００３９】
【図１】本発明吊り金具の一実施例を示す分解斜視図である。
【図２】本発明吊り金具の装着例を示す側面図である。
【図３】本発明吊り金具の他の装着例を示す側面図である。
【図４】本発明吊り金具の他の装着例を示す側面図である。
【図５】本発明取付具の他の実施例を示す斜視図である。
【図６】図５に示す実施例を装着した状態を示す側面図である。
【図７】本発明取付具の他の実施例を示す斜視図である。
【図８】図７に示す実施例を装着した状態を示す側面図である。
【図９】本発明取付具の他の実施例を示す斜視図である。
【図１０】図９に示す実施例を装着した状態を示す側面図である。
【図１１】従来の吊り金具の使用例を示す斜視図であり、（イ）は斜視図、（ロ）は側面図である。
【図１２】従来の他の吊り金具の使用例を示す斜視図であり、（イ）は斜視図、（ロ）は側面図である。
【図１３】従来の他の吊り金具の使用例を示す斜視図であり、（イ）は斜視図、（ロ）は側面図である。
【符号の説明】
【００４０】
Ｌ  ケーブルラック  Ｌ１  親桁
Ｌ２  継金具
Ｌ３  ラックカバー
Ｐ  吊りボルト      Ｐ１  連結ナット
１  連結片          １Ａ  ボルト挿通孔
２  重合片          ２Ａ  ネジ孔
３  係止片          ３Ａ  係止スリット
４  補助係止片      ４Ａ  ネジ孔
４Ｂ  ネジ挿通孔
４Ｃ  ナット
５  止着ボルト
６  板ナット        ６Ａ  ネジ孔
【図１】
2005224026.tif 000003
【図２】
2005224026.tif 000004
【図３】
2005224026.tif 000005
【図４】
2005224026.tif 000006
【図５】
2005224026.tif 000007
【図６】
2005224026.tif 000008
【図７】
2005224026.tif 000009
【図８】
2005224026.tif 000010
【図９】
2005224026.tif 000011
【図１０】
2005224026.tif 000012
【図１１】
2005224026.tif 000013
【図１２】
2005224026.tif 000014
【図１３】
2005224026.tif 000015